(57)【要約】【課題】プレートと組付部の誤った組み付けを防止し、美観を損ねない加熱調理器を提供する。【解決手段】金属プレート７１は、矩形の前板部７１０の縁部を後方に折り曲げた上曲部７１１、下曲部７１２、左曲部７１３、右曲部７１４を有する。樹脂プレート８１は、矩形の後板部８１０の前面から前方に突出する突出部８１７を有する。突出部８１７の上縁部位８１１には後板部８１０の前面にて上方に突出する上位置決部８１５が設けられ、後板部８１０の上側縁部との間隙Ｆを有する。突出部８１７の左縁部位８１３には後板部８１０の前面にて左方に突出する左位置決部８１６が設けられ、後板部８１０の左側縁部との間隙Ｇを有する。間隙Ｆ，Ｇは金属プレート７１の厚みＤと同じ大きさであり、上曲部７１１と左曲部７１３を位置決めすることで、金属プレート７１と樹脂プレート８１の縁部が揃い、美観を生ずる。【選択図】図４
2020197327.tif 000002
【特許請求の範囲】
【請求項１】
筐体の中央側にグリル庫を収容した加熱調理器本体の前面側を覆う構成で板状を呈する複数のプレートが配置される加熱調理器において、
前記プレートは、矩形を呈する前板部を有し、前記加熱調理器本体の前面に設けられる組付部の前面に組み付けられて、前記加熱調理器本体の前面において上下方向および左右方向に整列して配置され、
前記組付部は、
矩形を呈し、前記プレートに対向する後板部と、
前記後板部の前面における左右一方側の端部に設けられ、前記後板部の左右一方側の縁部に対して前記プレートの左右一方側の縁部を位置決めする左右位置決部と、
前記後板部の前面における上下一方側の端部に設けられ、前記後板部の上下一方側の縁部に対して前記プレートの上下一方側の縁部を位置決めする上下位置決部と
を有すること
を特徴とする加熱調理器。
【請求項２】
前記加熱調理器本体は、前記グリル庫の前面の開口を開閉し、上段にガラス窓を有するガラス窓部が形成されるグリル扉を備え、
前記組付部に前記プレートを組み付けた組付体は、前記加熱調理器本体の前面において、前記グリル扉の左側上段、前記グリル扉の左側下段、前記グリル扉の右側上段、前記グリル扉の右側下段、および前記グリル扉の下段に配置されること
を特徴とする請求項１に記載の加熱調理器。
【請求項３】
前記プレートは、金属からなり、
前記前板部と、
前記前板部の左右両側の縁部であり、後方へ向けて夫々屈曲する一対の左右曲部と、
前記前板部の上下両側の縁部であり、後方へ向けて夫々屈曲する一対の上下曲部と
を有する第一プレートと、
前記前板部と、
前記一対の左右曲部と、
前記前板部の上側の縁部であり、後方へ向けて屈曲する上曲部と
を有する第二プレートと
を含み、
前記組付部は、
前記後板部と、
前記後板部の前面における左右両側の端部にて夫々上下方向に延びつつ前方へ向けて突出する部分であり、前記後板部の左右両側の縁部との間に前記プレートの厚みよりも大きい左右方向の間隙を有する一対の左右突部と、
前記後板部の前面における上下両側の端部にて夫々左右方向に延びつつ前方へ向けて突出する部分であり、前記後板部の上下両側の縁部との間に前記プレートの厚みよりも大きい上下方向の間隙を有する一対の上下突部と、
前記一対の左右突部のうち一方の左右突部から、前記後板部の左右一方側の縁部へ向けて突出し、且つ前記左右一方側の縁部との間に、前記プレートの厚みと同じ大きさの間隙を有する前記左右位置決部と、
前記一対の上下突部のうち一方の上下突部から、前記後板部の上下一方側の縁部へ向けて突出し、且つ前記上下一方側の縁部との間に、前記プレートの厚みと同じ大きさの間隙を有する前記上下位置決部と
を有する第一組付部と、
前記後板部と、
前記一対の左右突部と、
前記後板部の前面における上側の端部にて左右方向に延びつつ前方へ向けて突出する部分であり、前記後板部の上側の縁部との間に前記プレートの厚みよりも大きい上下方向の間隙を有する上突部と、
前記一対の左右突部のうち一方の左右突部から、前記後板部の左右一方側の縁部へ向けて突出し、且つ前記左右一方側の縁部との間に、前記プレートの厚みと同じ大きさの間隙を有する前記左右位置決部と、
前記後板部の下側の端部において前方へ向けて突出する部分であり、左右方向に延びつつ前記一対の左右突部および前記上突部よりも前方に突出する前記上下位置決部と
を有する第二組付部と
を含み、
前記組付体は、前記第一組付部に前記第一プレートが組み付けられた第一組付体、および、前記第二組付部に前記第二プレートが組み付けられた第二組付体のうち、少なくとも一方の組付体であること
を特徴とする請求項２に記載の加熱調理器。
【請求項４】
前記加熱調理器本体の前面において、少なくとも、前記グリル扉の左側上段、および前記グリル扉の右側上段には、前記第一組付体が、左右方向一方向に揃って配置されること
を特徴とする請求項３に記載の加熱調理器。
【請求項５】
前記加熱調理器本体の前面において、少なくとも、前記グリル扉の左側下段、前記グリル扉の下段、および前記グリル扉の右側下段には、前記第二組付体が、左右方向一方向に揃って配置されること
を特徴とする請求項３または４に記載の加熱調理器。
【請求項６】
前記第一組付部において、
前記左右位置決部は、前記後板部の前記一対の左右突部のうち、左右一方側の左右突部に形成され、
前記上下位置決部は、前記後板部の前記一対の上下突部のうち、上下一方側の上下突部に形成されたこと
を特徴とする請求項３または４に記載の加熱調理器。
【請求項７】
前記第二組付部において、
前記左右位置決部は、前記後板部の前記一対の左右突部のうち、左右一方側の左右突部に形成されたこと
を特徴とする請求項３または５に記載の加熱調理器。
【請求項８】
前記組付部は板状を呈し、前記加熱調理器本体の前面に着脱可能に設けられたことを特徴とする請求項１から７のいずれかに記載の加熱調理器。
【発明の詳細な説明】
【技術分野】
【０００１】
本発明は加熱調理器に関する。
【背景技術】
【０００２】
筐体の前部に複数の前面パネルを固定した加熱調理器がある（例えば特許文献１参照）。前面パネルは矩形を呈し、上下方向および左右方向にタイル状に並べて、加熱調理器の取付対象部に固定される。これにより、加熱調理器の前面に縦横に延びる分割ラインが形成される。
【０００３】
金属製のプレートを貼り付けた前面パネルを用い、高級感のある美観を有するコンロがある。この場合、プレートは、例えば樹脂製の組付部の前面部に貼り付けて形成されるので、パネル側面の前側部分において樹脂部分が視界に入る場合がある。そこでプレートに、縁部を後方へ折り曲げた折曲部を形成し、パネル側面の前側部分に折曲部が配置されるようにプレートを組付部に張り付けることによって、樹脂部分を見えにくくすることが考えられる。
【先行技術文献】
【特許文献】
【０００４】
【特許文献１】特開２０１５−３１４６９号公報
【発明の概要】
【発明が解決しようとする課題】
【０００５】
しかしながら、組付部にプレートを張り付ける際の位置決めを厳しく設定すると、例えば製造公差により、折曲部と組付部の側面との間に干渉が生じたり、折曲部と組付部の側面との間に段差が生じたりして、見栄えが悪くなる可能性がある。作業者が、干渉あるいは段差が生じたことから組付部にプレートを組み付ける向きを変更すると、プレートの向きを誤った向きに貼り付けてしまう可能性がある。
【０００６】
本発明の目的は、プレートと組付部の誤った組み付けを防止し、美観を損ねない加熱調理器を提供することである。
【課題を解決するための手段】
【０００７】
本発明の請求項１に係る発明の加熱調理器は、筐体の中央側にグリル庫を収容した加熱調理器本体の前面側を覆う構成で板状を呈する複数のプレートが配置される加熱調理器において、前記プレートは、矩形を呈する前板部を有し、前記加熱調理器本体の前面に設けられる組付部の前面に組み付けられて、前記加熱調理器本体の前面において上下方向および左右方向に整列して配置され、前記組付部は、矩形を呈し、前記プレートに対向する後板部と、前記後板部の前面における左右一方側の端部に設けられ、前記後板部の左右一方側の縁部に対して前記プレートの左右一方側の縁部を位置決めする左右位置決部と、前記後板部の前面における上下一方側の端部に設けられ、前記後板部の上下一方側の縁部に対して前記プレートの上下一方側の縁部を位置決めする上下位置決部とを有することを特徴とする。
【０００８】
請求項２に係る発明の加熱調理器は、請求項１に記載の発明の構成に加え、前記加熱調理器本体は、前記グリル庫の前面の開口を開閉し、上段にガラス窓を有するガラス窓部が形成されるグリル扉を備え、前記組付部に前記プレートを組み付けた組付体は、前記加熱調理器本体の前面において、前記グリル扉の左側上段、前記グリル扉の左側下段、前記グリル扉の右側上段、前記グリル扉の右側下段、および前記グリル扉の下段に配置されることを特徴とする。
【０００９】
請求項３に係る発明の加熱調理器は、請求項２に記載の発明の構成に加え、前記プレートは、金属からなり、前記前板部と、前記前板部の左右両側の縁部であり、後方へ向けて夫々屈曲する一対の左右曲部と、前記前板部の上下両側の縁部であり、後方へ向けて夫々屈曲する一対の上下曲部とを有する第一プレートと、前記前板部と、前記一対の左右曲部と、前記前板部の上側の縁部であり、後方へ向けて屈曲する上曲部とを有する第二プレートとを含み、前記組付部は、前記後板部と、前記後板部の前面における左右両側の端部にて夫々上下方向に延びつつ前方へ向けて突出する部分であり、前記後板部の左右両側の縁部との間に前記プレートの厚みよりも大きい左右方向の間隙を有する一対の左右突部と、前記後板部の前面における上下両側の端部にて夫々左右方向に延びつつ前方へ向けて突出する部分であり、前記後板部の上下両側の縁部との間に前記プレートの厚みよりも大きい上下方向の間隙を有する一対の上下突部と、前記一対の左右突部のうち一方の左右突部から、前記後板部の左右一方側の縁部へ向けて突出し、且つ前記左右一方側の縁部との間に、前記プレートの厚みと同じ大きさの間隙を有する前記左右位置決部と、前記一対の上下突部のうち一方の上下突部から、前記後板部の上下一方側の縁部へ向けて突出し、且つ前記上下一方側の縁部との間に、前記プレートの厚みと同じ大きさの間隙を有する前記上下位置決部とを有する第一組付部と、前記後板部と、前記一対の左右突部と、前記後板部の前面における上側の端部にて左右方向に延びつつ前方へ向けて突出する部分であり、前記後板部の上側の縁部との間に前記プレートの厚みよりも大きい上下方向の間隙を有する上突部と、前記一対の左右突部のうち一方の左右突部から、前記後板部の左右一方側の縁部へ向けて突出し、且つ前記左右一方側の縁部との間に、前記プレートの厚みと同じ大きさの間隙を有する前記左右位置決部と、前記後板部の下側の端部において前方へ向けて突出する部分であり、左右方向に延びつつ前記一対の左右突部および前記上突部よりも前方に突出する前記上下位置決部とを有する第二組付部とを含み、前記組付体は、前記第一組付部に前記第一プレートが組み付けられた第一組付体、および、前記第二組付部に前記第二プレートが組み付けられた第二組付体のうち、少なくとも一方の組付体であることを特徴とする。
【００１０】
請求項４に係る発明の加熱調理器は、請求項３に記載の発明の構成に加え、前記加熱調理器本体の前面において、少なくとも、前記グリル扉の左側上段、および前記グリル扉の右側上段には、前記第一組付体が、左右方向一方向に揃って配置されることを特徴とする。
【００１１】
請求項５に係る発明の加熱調理器は、請求項３または４に記載の発明の構成に加え、前記加熱調理器本体の前面において、少なくとも、前記グリル扉の左側下段、前記グリル扉の下段、および前記グリル扉の右側下段には、前記第二組付体が、左右方向一方向に揃って配置されることを特徴とする。
【００１２】
請求項６に係る発明の加熱調理器は、請求項３または４に記載の発明の構成に加え、前記第一組付部において、前記左右位置決部は、前記後板部の前記一対の左右突部のうち、左右一方側の左右突部に形成され、前記上下位置決部は、前記後板部の前記一対の上下突部のうち、上下一方側の上下突部に形成されたことを特徴とする。
【００１３】
請求項７に係る発明の加熱調理器は、請求項３または５に記載の発明の構成に加え、前記第二組付部において、前記左右位置決部は、前記後板部の前記一対の左右突部のうち、左右一方側の左右突部に形成されたことを特徴とする。
【００１４】
請求項８に係る発明の加熱調理器は、請求項１から７のいずれかに記載の発明の構成に加え、前記組付部は板状を呈し、前記加熱調理器本体の前面に着脱可能に設けられたことを特徴とする。
【発明の効果】
【００１５】
本発明の請求項１に係る発明の加熱調理器によれば、プレートを組付部に組み付けるとき、プレートの左右一方側の縁部を組付部の一方の左右位置決部に当接させ、且つプレートの上下一方側の縁部を組付部の一方の上下位置決部に当接させることによって、プレートは、組付部に対し、互いの外形線が揃う位置に位置決めされる。そして、外形線の揃ったプレートが、加熱調理器本体の前面において上下方向および左右方向に整列して配置されるので、加熱調理器は美観を生ずる。プレートを組付部に組み付けるとき、誤って、プレートの左右他方側の縁部を組付部の他方の左右突部に当接させた場合、プレートの左右一方側の縁部は組付部の一方側の縁部よりも側方にはみ出る。或いは、プレートの上下他方側の縁部を組付部の他方の上下突部に当接させた場合、プレートの上下一方側の縁部は組付部の一方側の縁部よりも側方にはみ出る。この場合、作業者がプレートの組み付けの誤りを目視にて容易に確認できるので、プレートと組付部の誤った組み付けを防止でき、加熱調理器の美観を損ねない。
【００１６】
請求項２に係る発明の加熱調理器によれば、請求項１に記載の発明の効果に加え、組付体は、グリル扉の左側上段および左側下段、グリル扉の上段および下段、グリル扉の右側上段および右側下段に６分割された加熱調理器本体の前面に配置される。組付体が上下方向および左右方向に整列して配置されるので、加熱調理器は美観を生ずる。
【００１７】
請求項３に係る発明の加熱調理器によれば、請求項２に記載の発明の効果に加え、第一プレートを第一組付部に組み付けるとき、第一プレートの一方の左右曲部を組付部の左右位置決部に当接させ、且つ第一プレートの一方の上下曲部を組付部の上下位置決部に当接させることによって、第一プレートと第一組付部の互いの外形線が揃う位置に位置決めされる。外形線の揃った第一プレートが、加熱調理器本体の前面に配置されるので、加熱調理器は美観を生ずる。第一プレートを第一組付部に組み付けるとき、誤って、第一プレートの他方の左右曲部を第一組付部の他方の左右突部に当接させた場合、第一プレートの一方の左右曲部は第一組付部の一方側の縁部よりも側方にはみ出る。或いは、第一プレートの他方の上下曲部を第一組付部の他方の上下突部に当接させた場合、第一プレートの一方の上下曲部は第一組付部の一方側の縁部よりも側方にはみ出る。この場合、作業者が第一プレートの組み付けの誤りを目視にて容易に確認できるので、第一プレートと第一組付部の誤った組み付けを防止でき、加熱調理器の美観を損ねない。
【００１８】
また、第一組付部の他方の左右突部と他方の上下突部は、夫々、後板部の縁部との間にプレートの厚みより大きい間隙を有する。これにより、第一プレートを第一組付部に組み付けるとき、間隙の大きさの範囲内であれば、第一プレートを第一組付部に対して左右方向の一方側または上下方向の一方側あるいはその双方にずれた位置に仮配置することができるので、組み付け作業が容易である。仮に、第一組付部の他方の左右突部と後板部の縁部との間隙の大きさが、第一プレートの厚みと同じであった場合、第一プレートの製造過程において生じうる寸法のばらつきによっては、第一組付部の一対の左右突部の間の長さよりも、第一プレートの一対の左右曲部の間の長さが短くなる可能性がある。あるいは、第一組付部の他方の上下突部と後板部の縁部との間隙の大きさが、第一プレートの厚みと同じであった場合も、第一プレートの製造過程において生じうる寸法のばらつきによっては、第一組付部の一対の上下突部の間の長さよりも、第一プレートの一対の上下曲部の間の長さが短くなる可能性があり、いずれの場合も、第一プレートを第一組付部に対して仮配置できなくなる可能性がある。本発明の態様によれば、第一プレートの他方の左右曲部と他方の上下曲部とは、第一プレートを第一組付部に組み付けた後においても、第一組付部の他方の左右突部と他方の上下突部との夫々に接触しない。故に、第一プレートの製造過程において生じうる寸法のばらつきを十分に吸収し、第一プレートを第一組付部に対して正しい位置に組み付けることができる。
【００１９】
同様に、第二プレートの夫々を第二組付部に組み付けるとき、第二プレートの下側の縁部を第二組付部の上下位置決部に当接させ、且つ第二プレートの一方の左右曲部を第二組付部の左右位置決部に当接させることによって、第二プレートと第二組付部の互いの外形線が揃う位置に位置決めされる。外形線の揃った第二プレートが、加熱調理器本体の前面に配置されるので、加熱調理器は美観を生ずる。第二プレートを第二組付部に組み付けるとき、第二プレートの下側の縁部を第二組付部の上下位置決部に当接させた状態で、誤って、第二プレートの他方の左右曲部を第二組付部の他方の左右突部に当接させた場合、第二プレートの一方の左右曲部は第二組付部の一方側の縁部よりも側方にはみ出る。この場合、作業者が第二プレートの組み付けの誤りを目視にて容易に確認できるので、第二プレートと第二組付部の誤った組み付けを防止でき、加熱調理器の美観を損ねない。
【００２０】
また、第二組付部の他方の左右突部は、後板部の縁部との間にプレートの厚みより大きい間隙を有する。これにより、第二プレートを第二組付部に組み付けるとき、間隙の大きさの範囲内であれば、第二プレートを第二組付部に対して左右方向の一方側にずれた位置に仮配置することができるので、組み付け作業が容易である。仮に、第二組付部の他方の左右突部と後板部の縁部との間隙の大きさが、第二プレートの厚みと同じであった場合、第二プレートの製造過程において生じうる寸法のばらつきによっては、第二組付部の一対の左右突部の間の長さよりも、第二プレートの一対の左右曲部の間の長さが短くなる可能性がある。この場合、第二プレートを第二組付部に対して仮配置できなくなる可能性がある。本発明の態様によれば、第二プレートの他方の左右曲部は、第二プレートを第二組付部に組み付けた後においても、第二組付部の他方の左右突部に接触しない。故に、第二プレートの製造過程において生じうる寸法のばらつきを十分に吸収し、第二プレートを第二組付部に対して正しい位置に組み付けることができる。
【００２１】
そして、加熱調理器本体の前面には、第一組付部に第一プレートを組み付けた第一組付体か、第二組付部に第二プレートを組み付けた第二組付体のうち、少なくとも一方、もしくは両方が配置される。第一組付体と第二組付体をいずれか単体で、あるいは両者混合で用いても、外形線がきれいに揃うので、加熱調理器は美観を生ずる。
【００２２】
請求項４に係る発明の加熱調理器によれば、請求項３に記載の発明の効果に加え、少なくとも、グリル扉の左側上段およびグリル扉の右側上段に、第一組付体が配置される。外形線の揃った第一プレートが、加熱調理器本体の前面において同じ段（上段）に、左右方向に整列して配置されるので、加熱調理器は美観を生ずる。
【００２３】
請求項５に係る発明の加熱調理器によれば、請求項３または４に記載の発明の効果に加え、少なくとも、グリル扉の左側下段、グリル扉の下段、およびグリル扉の右側下段には、第二組付体が配置される。外形線の揃った第二プレートが、加熱調理器本体の前面において同じ段（下段）に、左右方向に整列して配置されるので、加熱調理器は美観を生ずる。
【００２４】
請求項６に係る発明の加熱調理器によれば、請求項３または４に記載の発明の効果に加え、第一プレートを第一組付部に組み付けるとき、第一プレートを第一組付部に対して左上側から右下側にスライドすることで、第一プレートの左側の左右曲部が後板部の左端部にて突出する左右突部に形成された左右位置決部によって位置決めされ、第一プレートの上側の上下曲部が後板部の上端部にて突出する上下位置決部によって位置決めされる。すべての第一プレートが同じ向きに位置決めされるので、すべてのプレートの外形線が揃い、加熱調理器に美観を生ずる。
【００２５】
請求項７に係る発明の加熱調理器によれば、請求項３または５に記載の発明の効果に加え、第二プレートを第二組付部に組み付けるとき、第二プレートを第二組付部に対して左上側から右下側にスライドすることで、第二プレートの左側の左右曲部が後板部の左端部にて突出する左右突部に形成された左右位置決部によって位置決めされ、第二プレートの下端が後板部の下端部にて突出する上下位置決部によって位置決めされる。すべての第二プレートが同じ向きに位置決めされるので、すべての第二プレートの外形線が揃い、加熱調理器に美観を生ずる。
【００２６】
請求項８に係る発明の加熱調理器によれば、請求項１から７のいずれかに記載の発明の効果に加え、予め、プレートを組付部に組み付けた組付体を別途作製しておき、加熱調理器生産の最終段階で組付体を加熱調理器に取り付けることができるので、生産過程におけるプレートの傷付きを抑制できる。
【００２７】
なお、本発明は、請求項１から８の夫々の発明特定事項を任意に組み合わせてもよい。
【図面の簡単な説明】
【００２８】
【図１】コンロ１の斜視図である。
【図２】コンロ１の正面図である。
【図３】化粧板６１の分解斜視図である。
【図４】化粧板６１の正面図である。
【図５】化粧板６２の分解斜視図である。
【図６】化粧板６２の正面図である。
【図７】化粧板部６５の分解斜視図である。
【図８】樹脂プレート８８の斜視図である。
【図９】樹脂プレート８９の斜視図である。
【発明を実施するための形態】
【００２９】
以下、本発明の実施形態を説明する。以下に記載される装置の構造は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００３０】
図１、図２を参照し、コンロ１の構造を説明する。コンロ１は、ビルトインコンロである。コンロ１は、コンロ本体部１Ａの内部にガスバーナ、点滅装置、制御装置等の各種部品が収容された構成をなし、上部に天板３を備える。天板３はガラス製である。天板３の上面左側には左バーナ４、上面右側には右バーナ５、上面後側にはグリル用の排気口７が夫々設けられる。天板３の下面には、一部透過性を有する非透過性の印刷が施される。天板３上において、左バーナ４の前側には、左バーナ４を操作する為の左操作部１１が設けられ、右バーナ５の前側には、右バーナ５を操作する為の右操作部１２が設けられる。左操作部１１、右操作部１２には、左バーナ４、右バーナ５の点火、消火、および火力の増減等の操作を指先のタッチで受け付ける複数の受付部と、タイマ時間等を表示する表示部と、使用状態に応じて点灯、または点滅する発光表示部等が設けられる。
【００３１】
コンロ本体部１Ａは、筐体２、グリル庫１０、左フロントパネル１３および右フロントパネル１４、化粧板６１〜６４および化粧板部６５等を備える。筐体２は、上部が開口し、該開口部分に天板３が固定される。筐体２の前面の中央部には、グリル扉８が手前側に引き出し可能に設けられる。グリル扉８は、筐体２内部に設けられるグリル庫１０の前側の開口を開閉する。グリル庫１０内には、グリルバーナ９が設けられる。グリル扉８の前面上部には、グリル窓部１５が設けられる。グリル窓部１５には、グリル庫１０内を視認できるグリル窓１７と、グリル窓１７の上側で前方に突出する取手１６が設けられる。コンロ本体部１Ａの前面において、グリル扉８の左側の上下には、正面視略矩形の化粧板６１、６２が取り付けられ、右側の上下には、正面視略矩形の化粧板６３、６４が取り付けられる。また、グリル扉８の前面下部には、正面視略矩形の化粧板部６５が設けられる。化粧板６１〜６４は、コンロ本体部１Ａの前面から取り外し可能である。
【００３２】
コンロ本体部１Ａの前面から左側の化粧板６１、６２を取り外すと、左フロントパネル１３の前面が露出する。左フロントパネル１３の前面中央部には、電池ケース（図示略）が設けられる。
【００３３】
コンロ本体部１Ａの前面から右側の化粧板６３、６４を取り外すと、右フロントパネル１４の前面が露出する。右フロントパネル１４の前面上部には、電源スイッチ１９が設けられる。化粧板６３の前面上部には開口１８が設けられ、開口１８から電源スイッチ１９が前方に突出する。右フロントパネル１４の前面下部には、グリルバーナ９を操作する為のグリル操作部（図示略）が設けられる。グリル操作部は、右フロントパネル１４の前面下部に回動可能に支持される。グリル操作部の使用時、化粧板６４は右フロントパネル１４の前面下部と共に回動し、グリル操作部を露出する。
【００３４】
図２に示すように、コンロ１において、化粧板６１〜６４、グリル窓部１５、および化粧板部６５は、コンロ本体部１Ａの前面において、縦２段、横３列のタイル状に整列した状態で配置される。上段に配置される化粧板６１と化粧板６３は、コンロ１の上下方向において、上端および下端の高さ位置が揃えられる。下段に配置される化粧板６２、化粧板６４、化粧板部６５は、コンロ１の上下方向において、上端および下端の高さ位置が揃えられる。左列に配置される化粧板６１、６２は、コンロ１の左右方向において、左端および右端の位置が揃えられる。右列に配置される化粧板６３、６４も、コンロ１の左右方向において、左端および右端の位置が揃えられる。そして、中列に配置されるグリル窓部１５と化粧板部６５も、コンロ１の左右方向において、左端および右端の位置が揃えられる。化粧板６１〜６４、グリル窓部１５、化粧板部６５が設けられることによって、コンロ１は、コンロ本体部１Ａの前面において縦横の分割ラインが形成され、前面を六分割したかのような美観を生ずる。
【００３５】
上記の化粧板６１〜６４と化粧板部６５は、樹脂製の組付部の前面に金属製のプレートを貼り付けることにより形成され、高級感のある美観に仕上げられる。プレートは、金属板のプレス加工により縁部が折り曲げられて形成される。組付部は樹脂の射出成型によって形成される。プレートを組付部に組み付けたとき、プレートおよび組付部の製造上の公差によるずれを緩和し、プレートの縁部と組付部の縁部の合わせ部分が揃って美観を得られるように、組付部にはプレートの位置決めを行う位置決部が設けられる。
【００３６】
以下、図３〜図７を参照し、化粧板６１〜６４と化粧板部６５について説明する。図３、図４に示すように、化粧板６１，６３は、夫々、金属プレート７１，７３と樹脂プレート８１，８３を有する。なお、化粧板６１と化粧板６３は略同様の構成であるので、以下では、化粧板６１について説明を行い、化粧板６３の説明は省略する。金属プレート７１は、正面視略矩形の板状を呈し、左右方向に長い前板部７１０を有する。前板部７１０の上側、下側、左側および右側の縁部である上曲部７１１、下曲部７１２、左曲部７１３および右曲部７１４は、夫々、後方へ向けて屈曲されている。上曲部７１１、下曲部７１２、左曲部７１３および右曲部７１４の夫々の前後方向の長さは、樹脂プレート８１の突出部８１７（後述）が後板部８１０から前方へ突出する長さと略同じである。
【００３７】
樹脂プレート８１は、正面視略矩形の板状を呈し、左右方向に長い後板部８１０を有する。後板部８１０の上下方向および左右方向の長さは、夫々、金属プレート７１の上下方向および左右方向の長さと略同じである。後板部８１０は、前面に、前方へ向けて板状に突出する突出部８１７を有する。突出部８１７の上下方向および左右方向の長さは、夫々、金属プレート７１の上下方向および左右方向の長さよりも短い。突出部８１７の上側、下側、左側および右側の縁部である上縁部位８１１、下縁部位８１２、左縁部位８１３および右縁部位８１４は、夫々、後板部８１０の上端部、下端部、左端部および右端部に位置する。上縁部位８１１、下縁部位８１２、左縁部位８１３および右縁部位８１４は、夫々、後板部８１０の上側、下側、左側および右側の縁部との間に、金属プレート７１の厚みＤよりも大きな間隙Ｅを有する。
【００３８】
また、突出部８１７の上縁部位８１１および左縁部位８１３と、後板部８１０の上側および左側の縁部との夫々の間隙Ｅには、上位置決部８１５および左位置決部８１６が設けられる。上位置決部８１５は後板部８１０の前面と突出部８１７の上側面に接続し、上縁部位８１１から上方へ向けて突出する。上位置決部８１５は、後板部８１０の上側の縁部に沿って、左右方向に３つ並んで設けられる。夫々の上位置決部８１５は、後板部８１０の上側の縁部との間に、金属プレート７１の厚みＤと同じ大きさの間隙Ｆを形成する。同様に、左位置決部８１６は後板部８１０の前面と突出部８１７の左側面に接続し、左縁部位８１３から左方へ向けて突出する。左位置決部８１６は、後板部８１０の左側の縁部に沿って、上下方向に３つ並んで設けられる。夫々の左位置決部８１６は、後板部８１０の左側の縁部との間に、金属プレート７１の厚みＤと同じ大きさの間隙Ｇを形成する。
【００３９】
金属プレート７１を樹脂プレート８１に組み付けるとき、突出部８１７の前面には両面テープが貼られ、次に、金属プレート７１を、樹脂プレート８１の突出部８１７を覆うように配置する。この際、樹脂プレート８１の突出部８１７の右縁部位８１４と下縁部位８１２には、位置決部がない。右縁部位８１４と下縁部位８１２は、後板部８１０の右側、下側の縁部との間に、金属プレート７１の厚みＤよりも大きな間隙Ｅを有する。故に、右曲部７１４は、間隙Ｅの大きさの範囲内であれば突出部８１７の右縁部位８１４の右側に近接して位置することができ、且つ下曲部７１２は、間隙Ｅの大きさの範囲内であれば突出部８１７の下縁部位８１２の下側に近接して位置することができる。したがって、正面視で、金属プレート７１の外形線における左縁部と上縁部とは、樹脂プレート８１の外形線における左縁部と上縁部とに対し、夫々、左方と上方とに少しはみ出した状態で配置されることが多い。この際、金属プレート７１の外形線における右縁部と下縁部とは、樹脂プレート８１の外形線における右縁部と下縁部よりも、夫々、左方と上方とに位置する。このように、金属プレート７１を組み付け開始位置に配置するにあたって、金属プレート７１と樹脂プレート８１との間には、上下方向および左右方向にずらすことができる十分な隙間が設けられている。故に、組み付けを行う作業者は、金属プレート７１を組み付け開始位置に、容易に配置することができる。
【００４０】
なお、間隙Ｅが厚みＤと同じ大きさである場合（全周で突出部８１７と樹脂プレート８１外縁までの間隙が金属プレート７１の厚みＤの場合）、樹脂プレート８１の突出部８１７の四辺外側に金属プレート７１の上下左右の各曲部を重ね合わせるようにして、金属プレート７１と樹脂プレート８１の外縁部を揃えることが容易である。しかし、製造誤差によって、金属プレート７１の厚みや、樹脂プレート８１の突出部８１７と外縁部との間隙に狂いが生じてしまうと、金属プレート７１を樹脂プレート８１に組み付けることが難しくなる場合がある。この場合、本実施形態においては、一部に金属プレート７１の厚みＤよりも大きい間隙Ｅが形成されるため、多少の製造誤差があったとしても位置合わせを容易に行うことができる。
【００４１】
次に、金属プレート７１は、作業者により樹脂プレート８１に対して右斜め下方に力を加えられつつ樹脂プレート８１に向けて押し付けられる。この結果、金属プレート７１は、上曲部７１１の下面が上位置決部８１５に当接し、且つ左曲部７１３の右面が左位置決部８１６に当接した状態で樹脂プレートに接着される。ここで、上位置決部８１５と後板部８１０の上側の縁部との間隙Ｆは、金属プレート７１の厚みＤと同じ大きさである。また、左位置決部８１６と後板部８１０の左側の縁部との間隙Ｇは、金属プレート７１の厚みＤと同じ大きさである。故に、正面視で、金属プレート７１の外形線における左縁部と上縁部とは、樹脂プレート８１の外形線における左縁部と上縁部と同じ位置に重なる。上曲部７１１の上面は、後板部８１０の上面と段差無く揃い、左曲部７１３の左面も、後板部８１０の左面と段差無く揃う。そして、後板部８１０と金属プレート７１の上下方向および左右方向の長さが略同じである。故に、正面視で、金属プレート７１の外形線における右縁部と下縁部とは、樹脂プレート８１の外形線における右縁部と下縁部と同じ位置に重なる。下曲部７１２の下面は、後板部８１０の下面と段差無く揃い、右曲部７１４の右面も、後板部８１０の右面と段差無く揃う。すなわち、金属プレート７１の四方の縁部と、樹脂プレート８１の四方の縁部とが、夫々、段差無くきれいに揃う。
【００４２】
仮に、作業者が金属プレート７１を移動させる方向を誤り、金属プレート７１を樹脂プレート８１に対して左方または上方あるいは左斜め上方に移動させた場合、下曲部７１２または右曲部７１４あるいはその双方が、夫々、突出部８１７の下縁部位８１２または右縁部位８１４あるいは双方に当接する。この場合、金属プレート７１の外形線における左縁部または上縁部あるいはその双方が、夫々、樹脂プレート８１の外形線における左縁部または上縁部あるいは双方からはみ出した状態で、化粧板６１が仕上がる。故に作業者は、金属プレート７１の組み付けの誤りを目視にて容易に確認することができる。
【００４３】
以上のように、両面テープによって金属プレート７１が樹脂プレート８１に位置合わせされて接着されることで、化粧板６１が作製される。金属プレート７１と樹脂プレート８１の互いの外形線が揃うので、化粧板６１は美観を生ずる。化粧板６３も、化粧板６１と同様の構成において作製されるので、美観を生ずる。
【００４４】
次に、図５、図６に示すように、化粧板６２，６４は、夫々、金属プレート７２，７４と樹脂プレート８２，８４を有する。なお、化粧板６２と化粧板６４は略同様の構成であるので、以下では、化粧板６２について説明を行い、化粧板６４の説明は省略する。金属プレート７２は、正面視略矩形の板状を呈し、左右方向に長い前板部７２０を有する。前板部７２０の上側、左側および右側の縁部である上曲部７２１、左曲部７２３および右曲部７２４は、夫々、後方へ向けて屈曲されている。上曲部７２１、左曲部７２３および右曲部７２４の夫々の前後方向の長さは、樹脂プレート８２の突出部８２７（後述）が後板部８２０から前方へ突出する長さと略同じである。前板部７２０の下側の縁部である下縁部７２２は、屈曲されていない。
【００４５】
樹脂プレート８２は、正面視略矩形の板状を呈し、左右方向に長い後板部８２０を有する。後板部８２０の左右方向の長さは、金属プレート７２の左右方向の長さと略同じである。後板部８２０の上下方向の長さは、金属プレート７２の上下方向の長さよりも大きい。後板部８２０は、前面に、前方へ向けて板状に突出する突出部８２７を有する。突出部８２７の上下方向および左右方向の長さは、夫々、金属プレート７２の上下方向および左右方向の長さよりも短い。突出部８２７の上側、左側および右側の縁部である上縁部位８２１、左縁部位８２３および右縁部位８２４は、夫々、後板部８２０の上端部、左端部および右端部に位置する。上縁部位８２１、左縁部位８２３および右縁部位８２４は、夫々、後板部８２０の上側、左側および右側の縁部との間に、金属プレート７２の厚みＤよりも大きな間隙Ｅを有する。
【００４６】
後板部８２０の下側の端部は前方へ突出し、下突出部８２２を形成する。下突出部８２２は突出部８２７の下側の縁部に沿って左右方向へ延び、突出部８２７よりも前方へ突出する。金属プレート７２の上下方向の長さは、下突出部８２２の形成部位を除く後板部８２０の上下方向の長さと略同じである。また、突出部８２７の左縁部位８２３と、後板部８２０の左側の縁部との間隙Ｅには、左位置決部８２６が設けられる。左位置決部８２６は後板部８２０の前面と突出部８２７の左側面に接続し、左縁部位８２３から左方へ向けて突出する。左位置決部８２６は、後板部８２０の左側の縁部に沿って、上下方向に３つ並んで設けられる。夫々の左位置決部８２６は、後板部８２０の左側の縁部との間に、金属プレート７２の厚みＤと同じ大きさの間隙Ｇを形成する。
【００４７】
金属プレート７２を樹脂プレート８２に組み付けるとき、突出部８２７の前面には両面テープが貼られ、次に、金属プレート７２を、樹脂プレート８２の突出部８２７を覆うように配置する。この際、樹脂プレート８２の突出部８２７の右縁部位８２４には、位置決部がない。右縁部位８２４は、後板部８１０の右側の縁部との間に、金属プレート７２の厚みＤよりも大きな間隙Ｅを有する。また、金属プレート７２の下縁部は屈曲されていないので、樹脂プレート８２の後板部８２０に干渉しない。故に、右曲部７２４は、間隙Ｅの大きさの範囲内であれば突出部８２７の右縁部位８２４の右側に近接して位置することができる。したがって、正面視で、金属プレート７２の外形線における左縁部と上縁部とは、樹脂プレート８２の外形線における左縁部と上縁部とに対し、夫々、左方と上方とに少しはみ出した状態で配置されることが多い。この際、金属プレート７２の外形線における下縁部は、樹脂プレート８２の下突出部８２２の外形線における上縁部よりも上方に位置する。このように、金属プレート７２を組み付け開始位置に配置するにあたって、金属プレート７２と樹脂プレート８２との間には、上下方向および左右方向にずらすことができる十分な隙間が設けられている。故に、組み付けを行う作業者は、金属プレート７２を組み付け開始位置に、容易に配置することができる。
【００４８】
なお、間隙Ｅが厚みＤと同じ大きさである場合（左右両辺および上辺で突出部８２７と樹脂プレート８２外縁までの間隙が金属プレート７２の厚みＤの場合）、樹脂プレート８２の突出部８２７の三辺の外側に金属プレート７２の左右および上部の各曲部を重ね合わせるようにして、金属プレート７２と樹脂プレート８２の外縁部を揃えることが容易である。しかし、製造誤差によって、金属プレート７２の厚みや、樹脂プレート８２の突出部８２７と外縁部との間隙に狂いが生じてしまうと、金属プレート７２を樹脂プレート８２に組み付けることが難しくなる場合がある。この場合、本実施形態においては、一部に金属プレート７２の厚みＤよりも大きい間隙Ｅが形成されるため、多少の製造誤差があったとしても位置合わせを容易に行うことができる。
【００４９】
次に、金属プレート７２は、作業者により樹脂プレート８２に対して右斜め下方に力を加えられつつ樹脂プレート８１に向けて押し付けられる。この結果、金属プレート７２は、下縁部７２２の下面が下突出部８２２の上面に当接し、且つ左曲部７２３の右面が左位置決部８２６に当接した状態で樹脂プレートに接着される。ここで、左位置決部８２６と後板部８２０の左側の縁部との間隙Ｇは、金属プレート７２の厚みＤと同じ大きさである。故に、正面視で、金属プレート７２の外形線における左縁部は、樹脂プレート８１の外形線における左縁部と同じ位置に重なる。左曲部７２３の左面は、後板部８２０の左面と段差無く揃う。また、下縁部７２２が下突出部８２２に当接するので、正面視で、金属プレート７２の外形線における下縁部は、樹脂プレート８１の下突出部８２２の外形線における上縁部と同じ位置に重なる。そして、後板部８２０と金属プレート７２の左右方向の長さが略同じであり、下突出部８２２の形成部位を除く後板部８２０と金属プレート７２の上下方向の長さも、略同じである。故に、正面視で、金属プレート７２の外形線における右縁部と上縁部とは、樹脂プレート８２の外形線における右縁部と上縁部と同じ位置に重なる。右曲部７２４の右面は、後板部８２０の右面と段差無く揃い、上曲部７２１の上面も、後板部８２０の上面と段差無く揃う。すなわち、金属プレート７２の左右および上方の縁部と、樹脂プレート８２の左右および上方の縁部とが、夫々、段差無くきれいに揃い、金属プレート７２の下方の縁部は、樹脂プレート８２の下突出部８２２の上端に隙間無く当接する。
【００５０】
仮に、作業者が金属プレート７２を移動させる方向を誤り、金属プレート７２を樹脂プレート８２に対して左方に移動させた場合、右曲部７２４が突出部８２７の右縁部位８２４に当接する。この場合、金属プレート７２の外形線における左縁部が、樹脂プレート８２の外形線における左縁部からはみ出した状態で、化粧板６２が仕上がる。故に作業者は、金属プレート７２の組み付けの誤りを目視にて容易に確認することができる。
【００５１】
以上のように、両面テープによって金属プレート７２が樹脂プレート８２に位置合わせされて接着されることで、化粧板６２が作製される。金属プレート７２と樹脂プレート８２の互いの外形線が揃うので、化粧板６２は美観を生ずる。化粧板６４も、化粧板６２と同様の構成において作製されるので、美観を生ずる。
【００５２】
図７に示すように、化粧板部６５は、グリル扉８の下段に設けられる。化粧板部６５は、金属プレート７５と樹脂プレート部８５を有する。金属プレート７５は、金属プレート７２とは大きさが異なるが略同様の構成であり、前板部７５０と、その上側、左側および右側の縁部で後方に屈曲する上曲部７５１、左曲部７５３および右曲部７５４を有する。下側の縁部である下縁部７５２は、屈曲されていない。
【００５３】
樹脂プレート部８５は、グリル扉８の下段を構成する部品であり、上段のグリル窓部１５に接続して取り外すことができない。樹脂プレート部８５は、樹脂プレート８２とは大きさが異なるが、金属プレート７５の組み付け構造は同様であり、後板部８５０、突出部８５７、下突出部８５２、左位置決部８５６を有する。突出部８５７の上側、左側および右側の縁部である上縁部位８５１、左縁部位８５３および右縁部位８５４と、後板部８５０の上側、左側および右側の縁部との間隙Ｅは、金属プレート７５の厚みＤよりも大きい。そして、左位置決部８５６と後板部８５０の左側の縁部との間隙Ｇは、金属プレート７５の厚みＤと同じ大きさである。
【００５４】
金属プレート７５を樹脂プレート部８５に組み付けるとき、化粧板６２と同様に、金属プレート７５は、樹脂プレート部８５の突出部８５７を覆うように配置される。金属プレート７５と樹脂プレート部８５との間に、上下方向および左右方向にずらすことができる十分な隙間が設けられているので、金属プレート７５は組み付け開始位置に容易に配置することができる。金属プレート７５は、樹脂プレート部８５に対して右斜め下方に力を加えられつつ樹脂プレート部８５に向けて押し付けられて、下縁部７５２の下面が下突出部８５２の上面に当接し、且つ左曲部７５３の右面が左位置決部８５６に当接する。これにより、金属プレート７５の左曲部７５３と下縁部７５２が樹脂プレート部８５に位置決めされ、金属プレート７５と樹脂プレート部８５の互いの外形線が揃うので、化粧板部６５は美観を生ずる。
【００５５】
このように、コンロ１の化粧板６１〜６４、化粧板部６５は、金属プレート７１〜７５を樹脂プレート８１〜８４、樹脂プレート部８５に組み付ける時の向きが、いずれも、左上から右下にスライドさせる向きである。故に誤った向きに組み付ける可能性が少なく、また、金属プレート７１〜７５と樹脂プレート８１〜８４、樹脂プレート部８５との外形線が、特に左側の縁部においては完全に揃うので、コンロ１に美観を生ずる。
【００５６】
以上説明したように、金属プレート７１〜７５を樹脂プレート８１〜８４、樹脂プレート部８５に組み付けるとき、金属プレート７１〜７５の左曲部７１３，７２３，７５３を樹脂プレート８１〜８４、樹脂プレート部８５の左位置決部８１６，８２６，８５６に当接させ、且つ金属プレート７１〜７５の上曲部７１１、下縁部７２２，７５２を樹脂プレート８１〜８４、樹脂プレート部８５の上位置決部８１５、下突出部８２２、８５２に当接させることによって、金属プレート７１〜７５は、樹脂プレート８１〜８４、樹脂プレート部８５に対し、互いの外形線が揃う位置に位置決めされる。そして、外形線の揃った金属プレート７１〜７５が、コンロ本体部１Ａの前面において上下方向および左右方向に整列して配置されるので、コンロ１は美観を生ずる。金属プレート７１〜７５を樹脂プレート８１〜８４、樹脂プレート部８５に組み付けるとき、誤って、金属プレート７１〜７５の右曲部７１４，７２４，７５４を樹脂プレート８１〜８４、樹脂プレート部８５の右縁部位８１４，８２４，８５４に当接させた場合、金属プレート７１〜７５の左曲部７１３，７２３，７５３は樹脂プレート８１〜８４、樹脂プレート部８５の左側の縁部よりも側方にはみ出る。或いは、金属プレート７１〜７５の下曲部７１２を樹脂プレート８１〜８４、樹脂プレート部８５の下縁部位８１２に当接させた場合、金属プレート７１〜７５の上曲部７１１は樹脂プレート８１〜８４、樹脂プレート部８５の上側の縁部よりも側方にはみ出る。この場合、作業者が金属プレート７１〜７５の組み付けの誤りを目視にて容易に確認できるので、金属プレート７１〜７５と樹脂プレート８１〜８４、樹脂プレート部８５の誤った組み付けを防止でき、コンロ１の美観を損ねない。
【００５７】
また、樹脂プレート８１〜８４、樹脂プレート部８５の突出部８１７，８２７，８５７の右縁部位８１４，８２４，８５４と下縁部位８１２は、夫々、後板部８１０，８２０，８５０の縁部との間に金属プレート７１〜７５の厚みＤより大きい間隙Ｅを有する。これにより、金属プレート７１〜７５を樹脂プレート８１〜８４、樹脂プレート部８５に組み付けるとき、間隙Ｅの大きさの範囲内であれば、金属プレート７１〜７５を樹脂プレート８１〜８４、樹脂プレート部８５に対して左右方向の一方側または上下方向の一方側あるいはその双方にずれた位置に仮配置することができるので、組み付け作業が容易である。仮に、樹脂プレート８１〜８４、樹脂プレート部８５の突出部８１７，８２７，８５７の右縁部位８１４，８２４，８５４と後板部８１０，８２０，８５０の縁部との間隙Ｅの大きさが、金属プレート７１〜７５の厚みＤと同じであった場合、金属プレート７１〜７５の製造過程において生じうる寸法のばらつきによっては、樹脂プレート８１〜８４、樹脂プレート部８５の突出部８１７，８２７，８５７の左右両縁部（左位置決部８１６，８２６，８５６を含む）間の長さよりも、金属プレート７１〜７５の左曲部７１３，７２３，７５３と右曲部７１４，７２４，７５４の間の長さが短くなる可能性がある。あるいは、樹脂プレート８１，８３の突出部８１７の上縁部位８１１と後板部８１０の縁部との間隙Ｅの大きさが、金属プレート７１，７３の厚みＤと同じであった場合、金属プレート７１，７３の製造過程において生じうる寸法のばらつきによっては、樹脂プレート８１，８３の突出部８１７の上下両縁部（上位置決部８１５を含む）間の長さよりも、金属プレート７１，７３の上曲部７１１と下曲部７１２の間の長さが短くなる可能性があり、いずれの場合も、金属プレート７１〜７５を樹脂プレート８１〜８４、樹脂プレート部８５に対して仮配置できなくなる可能性がある。本実施形態では、金属プレート７１〜７５の右曲部７１４，７２４，７５４と下曲部７１２とは、金属プレート７１〜７５を樹脂プレート８１〜８４、樹脂プレート部８５に組み付けた後においても、樹脂プレート８１〜８４、樹脂プレート部８５の突出部８１７，８２７，８５７の右縁部位８１４，８２４，８５４と下縁部位８１２との夫々に接触しない。故に、金属プレート７１〜７５の製造過程において生じうる寸法のばらつきを十分に吸収し、金属プレート７１〜７５を樹脂プレート８１〜８４、樹脂プレート部８５に対して正しい位置に組み付けることができる。
【００５８】
化粧板６１〜６４および化粧板部６５は、左フロントパネル１３前面側の上段および下段、グリル扉８の上段（グリル窓部１５）および下段、右フロントパネル１４前面側の上段および下段に６分割されたうち、グリル窓部１５を除く、コンロ本体部１Ａの前面に配置される。化粧板６１〜６４および化粧板部６５が上下方向および左右方向に整列して配置されるので、コンロ１は美観を生ずる。
【００５９】
金属プレート７１〜７５を樹脂プレート８１〜８４、樹脂プレート部８５に組み付けるとき、金属プレート７１〜７５を樹脂プレート８１〜８４、樹脂プレート部８５に対して左上側から右下側にスライドすることで、金属プレート７１〜７５の左曲部７１３，７２３，７５３が後板部８１０，８２０，８５０の突出部８１７，８２７，８５７の左縁部位８１３，８２３，８５３に形成された左位置決部８１６，８２６，８５６によって位置決めされる。また、金属プレート７１〜７５の上曲部７１１または下縁部７２２，７５２が後板部８１０の突出部８１７の上縁部位８１１、または後板部８２０，８５０の下突出部８２２，８５２によって位置決めされる。すべての金属プレート７１〜７５が同じ向きに位置決めされるので、すべての金属プレート７１〜７５の外形線が揃い、コンロ１に美観を生ずる。
【００６０】
化粧板６１，６３と、化粧板６２，６４および化粧板部６５は、金属プレートの組付けの構成が上記のように異なるが、両者混合で用いても、外形線がきれいに揃うので、コンロ１は美観を生ずる。そして、化粧板６１，６３を上段に用い、化粧板６２，６４および化粧板部６５を下段に用いることで、外形線の揃った化粧板６１〜６４および化粧板部６５が、コンロ本体部１Ａの前面において同じ段（下段）に、左右方向に整列して配置されるので、コンロ１は美観を生ずる。
【００６１】
予め、金属プレート７１〜７４を樹脂プレート８１〜８４に組み付けた化粧板６１〜６４を別途作製しておき、コンロ１生産の最終段階で化粧板６１〜６４をコンロ１に取り付けることができるので、生産過程における金属プレート７１〜７４の傷付きを抑制できる。
【００６２】
なお、本発明は上記実施形態に限定されるものではなく、種々の変更が可能である。コンロ本体部１Ａの前面は、化粧板６１，６３と化粧板６２，６４、化粧板部６５、グリル窓部１５で６分割されたが、分割数は６以上でも６未満でもよい。例えば化粧板６１，６２、化粧板６３，６４が、夫々一体のものであってもよい。或いは、化粧板６１，６２、化粧板６３，６４が、夫々上下方向に３分割されてもよい。若しくは、化粧板６１，６２、化粧板６３，６４が、夫々左右方向に２分割されてもよい。
【００６３】
化粧板６１，６３と、化粧板６２，６４、化粧板部６５とは、上下方向の位置決部の構成が異なるが、全てを同じ構成としてもよい。例えば、化粧板６２，６４、化粧板部６５は、上位置決部８１５を設け、下突出部８２２，８５２が無い構成としてもよい。すなわち、化粧板６１，６３のように、下突出部が無く、左右一方の位置決部と上下一方の位置決部により金属プレートが位置決めされるタイプの化粧板および化粧板部を、コンロ１に設ける全ての化粧板６１〜６４および化粧板部６５に用いてもよい。または、化粧板６１，６３は、上位置決部８１５がなく、下突出部８２２，８５２を有する構成としてもよい。すなわち、化粧板６２，６４、化粧板部６５のように、下突出部があり、左右一方の位置決部と共に金属プレートが位置決めされるタイプの化粧板および化粧板部を、コンロ１に設ける全ての化粧板６１〜６４および化粧板部６５に用いてもよい。
【００６４】
化粧板部６５は、グリル扉８から取り外せない構成としたが、取り外せてもよい。また、化粧板６１〜６４は、コンロ本体部１Ａの前面から取り外せる構成としたが、取り外せない構成としてもよい。左位置決部８１６，８２６，８５６は右側に設けてもよく、上位置決部８１５は下側に設けてもよい。また、下突出部８２２，８５２と同様の突出部を、後板部８１０，８２０，８５０の上端部、左端部、右端部に設けてもよい。
【００６５】
図８、図９に示す樹脂プレート８８，８９のように、左位置決部８８６，８９６、上位置決部８８５，８９５は、夫々３つでなくてもよく、１以上あればよい。左位置決部８９６、上位置決部８９５のように、１つの場合、対応する縁部と同じ方向に延びる形状であるとよい。
【００６６】
上縁部位８１１，８２１，８５１、下縁部位８１２、左縁部位８１３，８２３，８５３、右縁部位８１４，８２４，８５４は、突出部８１７，８２７，８５７の四方の縁部であるが、図８に示すように、夫々が独立の突出部８８１，８８２，８８３，８８４であってもよい。或いは図９に示すように、突出部は無く、左位置決部８９６、上位置決部８９５が単独で設けられてもよい。なお、この場合、金属プレートを貼り付けるための突出部８９７を別途設けるとよい。
【００６７】
金属プレート７１〜７５は、金属製に限らず、表面加工が美観や質感を得られる材料でなされたものでもよい。もちろん、樹脂製でもよい。樹脂プレート８１〜８４、樹脂プレート部８５は、樹脂製に限らず、例えば金属製でもよい。
【００６８】
化粧板６１を作製するとき、樹脂プレート８１の突出部８１７を覆うように金属プレート７１を配置し、樹脂プレート８１から少し浮かせた状態で右斜め下方にスライドさせて位置決めした後、両面テープによる貼り付けを行った。この方法に限らず、金属プレート７１を樹脂プレート８１に嵌め込むようにして組み付けを行ってもよい。例えば、樹脂プレート８１に両面テープを張設後、樹脂プレート８１の左位置決部８１６と後板部８１０の左側の縁部との間隙Ｇに、金属プレート７１の左曲部７１３の後端を当接させる。当接部分を支点とし、右曲部７１４側を後方に押し込み、突出部８１７に被せるように、金属プレート７１を樹脂プレート８１の前面側に配置する。突出部８１７の四方の縁部の外側に金属プレート７１の四方の曲部が位置し、突出部８１７を金属プレート７１で覆う状態になったら、金属プレート７１を樹脂プレート８１に対して右斜め下方に押し付けつつ、金属プレート７１を突出部８１７に嵌め込む。これにより、上曲部７１１と左曲部７１３が上位置決部８１５と左位置決部８１６にそれぞれ当接し、金属プレート７１が位置決めされた状態で突出部８１７に嵌め込まれ、且つ両面テープにより、樹脂プレート８１に接着される。このように、金属プレート７１の嵌め込みにおいて左位置決部８１６に当接する左曲部７１３を支点に金属プレート７１を回転させ、位置合わせしつつ、貼り付けを行うことで、簡易な手順で容易且つ正確に、金属プレート７１を樹脂プレート８１に組み付けることができる。化粧板６２〜６４、化粧板部６５についても同様の手順で作製してもよい。なお、金属プレート７１の上曲部７１１側を支点に金属プレート７１を回転させ、樹脂プレート８１に対する位置合わせと貼り付けを行ってもよい。
【００６９】
上記説明において、コンロ１が本発明の「加熱調理器」の一例である。コンロ本体部１Ａが本発明の「加熱調理器本体」の一例である。金属プレート７１〜７５が本発明の「プレート」の一例である。樹脂プレート８１〜８４、樹脂プレート部８５が本発明の「組付部」の一例である。左位置決部８１６，８２６，８５６が本発明の「左右位置決部」の一例である。上位置決部８１５、下突出部８２２，８５２が本発明の「上下位置決部」の一例である。グリル窓１７が本発明の「ガラス窓」の一例である。グリル窓部１５が本発明の「ガラス窓部」の一例である。左曲部７１３，７２３，７５３、右曲部７１４，７２４，７５４が本発明の「左右曲部」の一例である。上曲部７１１，７２１，７５１、下曲部７１２が本発明の「上下曲部」の一例である。突出部８１７，８２７，８５７の左縁部位８１３，８２３，８５３、右縁部位８１４，８２４，８５４が本発明の「左右突部」の一例である。突出部８１７の上縁部位８１１，８２１，８５１、下縁部位８１２が本発明の「上下突部」の一例である。
【符号の説明】
【００７０】
１                                    コンロ
１Ａ                                  コンロ本体部
２                                    筐体
８                                    グリル扉
１０                                  グリル庫
１５                                  グリル窓部
１７                                  グリル窓
６１〜６４                            化粧板
６５                                  化粧板部
７１〜７５                            金属プレート
８１〜８４                            樹脂プレート
８５                                  樹脂プレート部
７１０，７２０，７５０                前板部
７１１，７２１，７５１                上曲部
７１２                                下曲部
７１３，７２３，７５３                左曲部
７１４，７２４，７５４                右曲部
７２２，７５２                        下縁部
８１０，８２０，８５０                後板部
８１１，８２１，８５１                上縁部位
８１２                                下縁部位
８１３，８２３，８５３                左縁部位
８１４，８２４，８５４                右縁部位
８１５                                上位置決部
８１６，８２６，８５６                左位置決部
８２２，８５２                        下突出部
【図１】
2020197327.tif 000003
【図２】
2020197327.tif 000004
【図３】
2020197327.tif 000005
【図４】
2020197327.tif 000006
【図５】
2020197327.tif 000007
【図６】
2020197327.tif 000008
【図７】
2020197327.tif 000009
【図８】
2020197327.tif 000010
【図９】
2020197327.tif 000011